(57)【要約】【課題】  空間に突出された空中広告について、宣伝広告効果を損なわずして効果的に衝突回避ができ、且つ衝突したとしても、相衝突した双方の損傷を回避できる空中広告の提供。【解決手段】  情報が記載された板状又はシート状の広告部材と、鉛直方向に起立する柱部、及び広告部材を垂らす為の水平な突出し部を有する支持フレームと、当該支持フレームを支持する受柱とからなり、前記支持フレームの柱部と受柱とが、支軸を介して相互に回転可能に連結されると共に、相互が弾性的に引き寄せあう様に連結され、当該支持フレームの柱部と受柱との当接面が、前記突出し部の突出し方向に向かって下向きに傾斜した構造を備える突出し広告。【選択図】      図４
2006184664.tif 000002
【特許請求の範囲】
【請求項１】
情報が記載された板状又はシート状の広告部材と、鉛直方向に起立する柱部、及び広告部材を垂らす為の水平な突出し部を有する支持フレームと、当該支持フレームを支持する受柱とからなり、前記支持フレームの柱部と受柱とが、支軸を介して相互に回転可能に連結されると共に、相互が弾性的に引き寄せあう様に連結され、当該支持フレームの柱部と受柱との当接面が、前記突出し部の突出し方向に向かって下向きに傾斜した構造を備える突出し広告。
【請求項２】
鉛直方向に起立する柱部、及び広告部材を垂らす為の水平な突出し部を有する中空構造の支持フレームと、当該支持フレームを支持する中空構造の受柱とからなり、前記支持フレームの柱部と受柱とが、支軸を介して相互に回転可能に連結されると共に、前記支持フレームの柱部又は受柱の中空部に装填された弾性引寄せ部材（スプリング）を介して相互に連結された前記請求項１に記載の突出し広告。
【請求項３】
前記突出し部に、当該突出し部の略全長に亘るパイプを回転可能に、且つ離脱不能に装着し、当該パイプに前記広告部材を取り付けてなる前記請求項１又は請求項２のいずれかに記載の突出し広告。
【請求項４】
前記受柱を支柱に固着すると共に、当該支柱を鞘柱に上端側から挿脱自在に内装した前記請求項１乃至請求項３のいずれかに記載の突出し広告。
【請求項５】
前記柱部の側面に、前記支持フレームの回転領域を規制するストッパを設けた前記請求項１乃至請求項４のいずれかに記載の突出し広告。
【発明の詳細な説明】
【技術分野】
【０００１】
本発明は、支持箇所から側方に突出して情報を表示する突き出し広告に関するものであって、強風時や他の物体の衝突時において破損したり変形したりすることを防止する手法に関する。
【背景技術】
【０００２】
従来の突出し広告は、例えば、長方形状の平板に広告情報が記載され、当該平板を、電柱等に一端が固定された上下一対の水平支持フレーム等に固定して見え易い様に側方へ突出す形態が採られている（例えば、下記特許文献１参照）。しかしながら、この様な板状の広告は、強風や物体の衝突によって破損・変形する例が多く、飛散物が人、車両、或いは家屋等にぶつかる事による事故が発生するという問題もあった。
【０００３】
比較的低い箇所において広告効果を発揮させる自立式看板の分野においては、広告面に対する風力の影響を軽減すべく、広告面に風が通過しえる空間や通気孔を設けた看板が紹介されている（例えば、下記特許文献２参照）他、コイルバネの弾性に基づく可倒性並びに回転性により風や衝突による応力を逃がしつつコイルバネや磁力によって倒れた後並びに回転後の復位性を与えられた看板も存在する（例えば、下記特許文献３参照）。
【０００４】
【特許文献１】特開平９−１６０８９号公報
【特許文献２】特開平１１−１３０２８号公報
【特許文献３】特開２０００−１９９９９号公報
【発明の開示】
【発明が解決しようとする課題】
【０００５】
しかしながら、一般的に突出し広告は、自立式の看板に比べて高い箇所において広告することを目的とするものであり、柱状物等の上位に人物や車両等に接触するのを避けて設置されていることが通常であるところ、あまりに高所に設置したのでは通行人の目が届かず適切な広告機能を奏し得ない。
【０００６】
一方で、例えば、通行人の見易い箇所に突出し広告が設置した場合には、通行人の往来の支障となって危険であるばかりか、それが小路であれば、その突出し長が道路幅を侵食し、背の高い運送会社等のトラックが入ることになれば、運転手は、この様な突出し広告の破損を回避する為に通常以上の神経を使わなければならず、避けられずに接触し突出し広告や車両の一方又は双方に損傷を与えることとなる。
【０００７】
この様に、空間に突出された空中広告について、宣伝広告効果を損なわずして効果的に衝突回避ができ、且つ、衝突したとしても、相衝突した双方の損傷を回避できる空中広告は存在しなかった。
【０００８】
本発明による突出し広告は上記実情に鑑み、空間に突出された空中広告について、宣伝広告効果を損なわずして効果的に衝突回避ができ、且つ、衝突したとしても、相衝突した双方の損傷を回避できる空中広告の提供を目的とする。
【課題を解決するための手段】
【０００９】
上記課題を解決する為に為された本発明による突出し広告は、情報が記載された板状又はシート状の広告部材と、鉛直方向に起立する柱部、及び広告部材を垂らす為の水平な突出し部を有する支持フレームと、当該支持フレームを支持する受柱とからなり、前記支持フレームの柱部と受柱とが、支軸を介して相互に回転可能に連結されると共に、相互が弾性的に引き寄せあう様に連結され、当該支持フレームの柱部と受柱との当接面が、前記突出し部の突出し方向に向かって下向きに傾斜した構造を備えることを特徴とする。
【００１０】
例えば、鉛直方向に起立する柱部、及び広告部材を垂らす為の水平な突出し部を有する中空構造の支持フレームと、当該支持フレームを支持する中空構造の受柱とからなり、前記支持フレームの柱部と受柱とが、支軸を介して相互に回転可能に連結されると共に、前記支持フレームの柱部又は受柱の中空部に装填されたスプリング等の弾性引寄せ部材を介して相互に連結された突出し広告としても良い。
【００１１】
前記広告部材は、前記突出し部に、当該突出し部の略全長に亘る合成樹脂や軽金属等からなるパイプを回転可能に、且つ離脱不能に装着したうえで、当該パイプに取り付けても良い。
【００１２】
支持高調整の便宜を図るべく、前記受柱を支柱に固着すると共に、当該支柱を鞘柱に上端側から挿脱自在に内装する構造としても良い。前記支柱と鞘柱とを進退不能とし位置関係を固定するロック手段を設けることもできる。また、風や衝突による過度の回転を防止する為に、前記支持フレームの回転領域を規制するストッパを設けた構造とすることも出来る。
【発明の効果】
【００１３】
本発明による突出し広告に拠れば、前記支持フレームによる前記当接面に沿った広告位置の回転及び復位、並びに弾性引き寄せ部材による前記復位の促進のみならず、前記当接面から弾性に逆らっての浮き上がりと言った上方への逃げ作用が働く。また、本願突出し広告は、水平な突出し部から広告部材を垂らす構造により、強風や衝突に伴う衝撃が流されて前記回転や逃げの動作が比較的鈍重であり、各部材の連結部へ瞬時にかかる応力も比較的軽くなるので、当該突出し広告、並びにそれに衝突する物体のいずれにおいても、それらの損傷を効果的に回避・軽減できるものとなる。
【００１４】
更に、前記突出し部に、当該突出し部の略全長に亘るパイプを回転可能に、且つ離脱不能に装着し、当該パイプに前記広告部材を取り付ける構成を採れば、当該パイプが軸受けとなって広告部材を直接的な応力から前記突出し部を軸とする回転運動を以って回避させる役割を果たす。
【発明を実施するための最良の形態】
【００１５】
以下、本発明による突出し広告の実施の形態を図面に基づき説明する。
図１乃至図６に示す突出し広告は、情報が記載された広告部材１と、当該広告部材１を垂らす為の支持フレーム２と、当該支持フレーム２を回転可能に支持する受柱３と、当該受柱３が取り付けられる支柱４と、当該支柱４を長手方向へ進退自在に内装する鞘柱５とから構成される。
【００１６】
前記広告部材１は、合成樹脂、木材、ガラス、或いは金属等を素材として硬直性を持った板状、又は柔軟なシート状に形成し、表面（及び裏面）に宣伝・広告の情報が描かれたものである。この例にあっては、合成樹脂繊維から成る織物を合成樹脂でコーティングすることによって合成樹脂シートからなる広告部材１を形成し、当該広告部材１の上縁部を巻いてループ状に成形し、その空洞に合成樹脂製のパイプ６が挿通されている。
【００１７】
前記支持フレーム２は、中空なアルミ等の金属製、又は合成樹脂製パイプより形成され、鉛直方向に起立する柱部７と、前記広告部材１を垂らす為の水平な突出し部８とを、丸みを伴う形での曲げ成形がなされた屈曲部９を介して連結したものである。当該例では、前記柱部７の中空部１０に支軸１１を挿入固着し、当該支軸１１の柱部７の下に突出した部分が前記受柱３の中空部１２へ上位から挿入されて当該支持フレーム２と受柱３とが連結される。その際、前記支持フレーム２の柱部７の下端面と受柱３の上端面とが相当接すると共に、当該受柱３に挿入された支軸１１は回転軸となって、その下部側面は、突出し部８に応力が加わることで生じる支持フレーム２の旋回に伴って、前記受柱３における中空部の内壁に接して回転することとなる（図４及び図６参照）。
【００１８】
前記突出し部８は、前記広告部材１に挿通された前記合成樹脂製のパイプ６へ回転自在に挿通され、前記広告部材１に与えられた応力を、前記突出し部８における当該パイプ６の回転によって緩和する作用も生じる事となる。当該突出し部８の先端には、前記広告部材の上縁部に設けられたループ及びパイプ６の内径よりも径の大きい玉２２が抜け止め部材としてビス止めされるなど、広告部材１並びにパイプ６の抜け落ちが防止されている（図１参照）。
【００１９】
前記支軸１１の下端には、弾性引寄せ部材たるスプリング１３が繋がれたワイヤ１４が連結してあり（支軸１１と受柱３の長さ関係ではワイヤ１４が不要となる場合もある。）、前記スプリング１３の下端は前記ワイヤ１４が張った状態となる様に受柱３の中空部１２下位に締結されている。また、当該例における支持フレーム２の柱部７と受柱３とは相等しい径を持つパイプ材であることから、両者の向かい合う端面は互いに当接し、且つ当該両者の当接面が同様に前記突出し部８の突出し方向に向かって下向きに傾斜した構造とされている（図３（Ａ）、図４、及び図５参照）。
【００２０】
これらの構造によって、受柱３に対して前記支持フレーム２が回転すれば、前記当接面の傾斜に沿って支持フレーム２が上下し、それに伴って当該受柱３の中空部１２に装填された、前記支持フレーム２と受柱３とを連結するスプリング１３が伸縮する。当該スプリング１３の弾性を設置箇所に応じて選択することによって、前記支持フレーム２の回転に前記当接面の傾斜と重力とが相俟った適度な抵抗が与えられ、そのうちの縮む力によって当該支持フレーム２が受柱３に引寄せられると共に、その突出し部８の向きが前記当接面の傾斜方向と等しくなる様に復元される（図４参照）。
【００２１】
前記受柱３は、当該突出し広告の設置箇所へアタッチメントを介して固定される。当該アタッチメントは、前記支柱４を鞘柱５に上端側から挿脱自在に内装するものである。前記支柱４はコの字状の断面を有し、前記鞘柱５は、当該支柱４を上下摺動自在に内包し得るサイズのＣ字状の断面を有するフレーム材である（図６（Ｂ）（Ｃ）参照）。前記支柱４及び鞘柱５には、例えば、鞘柱５に底板１５を設け、或いは支柱４の上部に、鞘柱５の上縁に係る鍔部２３を設ける（図３参照）などの支柱が落下することを防止する措置が施されている。
【００２２】
前記鞘柱５の背板１６には設置箇所へ固定する為のビス孔１７が、当該背板１６の全域にわたって平均的に複数設けてあり、当該ビス孔１７に差し込まれたビス１８の頭部と支柱４とが干渉しない様に、前記支柱４を装填する際には、コの字の開口側が鞘柱５の背板１６と向き合う様に装填する（図６（Ｂ）（Ｃ）参照）。
【００２３】
一方、前記支柱４の背板１９には、前記受柱３が当該背板１９の長手方向に沿って溶着され、当該支柱４の下端部には、前記スプリング１３の下端を締結するアンカーとしての機能を兼ねて、前記受柱３の表裏並びに当該支柱４の背板１９を貫通するビス２０が定着されている（図１参照）。
【００２４】
上記構成により、例えば、営業時間終了後に当該突出し広告を撤去する場合や、広告部材１を経年劣化や広告の変更を理由として交換する必要が生じた場合には、前記支持フレーム２及び受柱３を支柱４ごと鞘柱５から引き抜いて保管し、或いは交換作業を行うことが出来ることとなる。
【００２５】
前記柱部７の側面における前記突き出し方向には、一対の係棒２１，２１がＶ字状に開いて突出する形でストッパとして溶着され、前記支持フレーム２の回転領域の限界において当該係棒２１，２１のいずれかの側面が当該支柱４に当接し当該支持フレーム２の回転を規制する（図６（Ｂ）参照）、従って、当該受柱３と前記支柱４とは、前記スプリング１３の伸びに伴う突出し部８の上昇を考慮に入れて、少なくとも当該支柱４の上端部が前記支持フレーム２の柱部７に面し得る位置関係とする必要がある（図４参照）。
【産業上の利用可能性】
【００２６】
本発明による突出し広告は、突出し部が、受柱を軸として旋回すると共に、当該旋回に伴って、或いは外力を受けて同受柱に沿って昇降し、広告部材が突出し部を軸として前後（広告部材の表裏方向）に揺動するので、前記広告部材への風や衝突に因る応力にあっても、当該突出し広告自体、並びに衝突物の破損（衝突物が人である場合には怪我）を回避することが出来る。この様な突出し広告は、路上に限らず、工場、学校その他の施設において、種々のスペースの表示或いは用途等を示す場合にも用いることができることは言うまでも無く、広告所定の効果を奏しつつも、屋内外における装置や物の移動や運搬時における干渉防止に広い分野に亘って寄与するものである。
【図面の簡単な説明】
【００２７】
【図１】本発明による突出し広告の一例を示す側方から見た縦断面図である。
【図２】図１の破線部拡大図である。
【図３】本発明による突出し広告の一例を示す（Ａ）：前方、及び（Ｂ）：後方から見た外観図である。
【図４】本発明による突出し広告における支持フレームの回転状態の一例を示す拡大図である。
【図５】本発明による突出し広告における支持フレームの昇降状態の一例を示す側方から見た縦断面図である。
【図６】本発明による突出し広告における支持フレームの（Ａ）：突出し部の旋回状態の例を示す平面図、（Ｂ）：ストッパの旋回状態の例を示す横断面図、及び（Ｃ）：スプリングが存在する部分の一例を示す横断面図である。
【符号の説明】
【００２８】
１  広告部材，２  支持フレーム，３  受柱，４  支柱，５  鞘柱，６  パイプ，
７  柱部，８  突出し部，９  屈曲部，
１０  中空部（柱部），１１  支軸，１２  中空部（受柱），
１３  スプリング，１４  ワイヤ，
１５  底板，１６  背板（鞘柱），１７  ビス孔，１８  ビス（鞘柱），
１９  背板（支柱），２０  ビス（受柱−支柱），２１  係棒，２２  玉，２３  鍔部，
【図１】
2006184664.tif 000003
【図２】
2006184664.tif 000004
【図３】
2006184664.tif 000005
【図４】
2006184664.tif 000006
【図５】
2006184664.tif 000007
【図６】
2006184664.tif 000008